(57)【要約】【課題】暖房装置のための燃焼室構成ユニットを改善して、燃焼開始、即ち点火過程の際のスタート段階を短縮する。【解決手段】燃焼室ケーシング１２が燃焼室２６を形成しており、該燃焼室内に点火機構１６の点火区分３２が突入している。さらに燃焼室ケーシングの燃焼室を半径方向外側で制限する外周壁２０に、燃焼室を半径方向外側で少なくとも部分的に取り囲んむ気化手段１８が設けてあり、気化手段内に、気化すべき燃料が外周壁を貫通して導入されるようになっている。【選択図】      図５
2004205082.tif 000002
【特許請求の範囲】
【請求項１】
暖房装置のための燃焼室構成ユニットであって、燃焼室（２６）の形成のための燃焼室ケーシング（１２）並びに点火機構（１６）を含んでおり、点火機構が点火区分（３２）で以て燃焼室（２６）内に突入している形式のものにおいて、燃焼室ケーシング（１２）の燃焼室（２６）を半径方向外側で制限している外周壁（２０）に、燃焼室（２６）を半径方向外側で取り囲む気化手段（１８）が設けられており、該気化手段内に、気化すべき燃料が燃焼室ケーシング（１２）を通して導入されるようになっていることを特徴とする、暖房装置のための燃焼室構成ユニット。
【請求項２】
気化手段（１８）が外周壁（２０）の、点火機構（１６）の点火区分（３２）を取り囲む長さ領域に設けられている請求項１記載燃焼室構成ユニット。
【請求項３】
気化手段（１８）がスリーブ状に形成されている請求項１又は２記載燃焼室構成ユニット。
【請求項４】
気化手段（１８）がフリース材料、フェルト材料、編み物、織物、発泡セラミック若しくは類似のものによって形成されている請求項１から３のいずれか１項記載の燃焼室構成ユニット。
【請求項５】
燃料が気化手段（１８）の、点火機構（１６）の点火区分（３２）の上方に位置する領域に燃料が導入されるようになっている請求項１から４のいずれか１項記載の燃焼室構成ユニット。
【請求項６】
気化手段（１８）の、燃料が導入される領域に、転向部材（４０）が設けられている請求項１から５のいずれか１項記載の燃焼室構成ユニット。
【請求項７】
燃焼室ケーシング（１２）の、点火機構（１６）を保持する領域に点火空気入口装置（３４）が設けられている請求項１から６のいずれか１項記載の燃焼室構成ユニット。
【請求項８】
点火空気がほぼ接線方向で点火空気入口装置（３４）を通って燃焼室（２６）内に流入するようになっている請求項１から７のいずれか１項記載の燃焼室構成ユニット。
【請求項９】
点火機構（１６）がほぼ接線方向に燃焼室（２６）内へ延びている請求項１から８のいずれか１項記載の燃焼室構成ユニット。
【請求項１０】
燃焼室ケーシング（１２）が内周壁（２４）を有しており、内周壁が燃焼空気入口装置（４２）を備えている請求項１から９のいずれか１項記載の燃焼室構成ユニット。
【請求項１１】
車両のための暖房装置であって、請求項１から１０のいずれか１項記載の燃焼室構成ユニットを備えていることを特徴とする、車両のための暖房装置。
【発明の詳細な説明】
【０００１】
【発明の属する技術分野】
本発明は、暖房装置のための燃焼室構成ユニットであって、例えば実質的にリング状の燃焼室の形成のための燃焼室ケーシング並びに点火機構を含んでおり、点火機構が点火区分で以てリング状の燃焼室内に突入している形式のものに関する。
【０００２】
【従来の技術】
ドイツ連邦共和国特許出願第１９５２９９９４Ａ１号明細書により、気化バーナーが公知であり、この場合には互いに結合された２つのケーシング部分によってリング状の１つの燃焼室が形成されている。半径方向内側に位置するリング状の内周壁を介して燃焼空気が供給される。燃焼室を半径方向外側で制限（画成）する外周壁が、円筒状に成形された多孔質の内張によって被覆されており、該内張を介して燃料が燃焼室内に導入される。外周壁が円周区分に、多孔質の内張の半径方向外側に位置する１つのポケット若しくは凹設部を備えており、該ポケット若しくは凹設部内に、点火機構として役立つグロープラグが配置されている。
【０００３】
WO９８／４９４９４号明細書に気化バーナーを開示してあり、該気化バーナーにおいては、点火機構として役立つグロープラグが、通電によって加熱可能な点火区分で以てほぼ接線方向にリング状の燃焼室内へ突入している。該点火プラグは燃焼室ケーシングの底部領域の近傍に配置されている。底部領域内には、底部領域をほぼ完全に覆う多孔質の材料が同様に配置されている。底部領域の多孔質の材料内に、燃料が導入され、かつ気化されて点火可能な混合気を形成するようになっている。底部領域を覆う多孔質の材料が切欠き部を有しており、切欠き部がグロープラグの点火区分の受容のためのポケット若しくは凹設部を形成している。
【０００４】
前述の気化バーナーにおいては、点火機構の点火区分の位置決めが、種々の点火機構を通常の燃焼に際して燃焼温度よりも明確に低い温度の生じる領域に配置するように行われている。これによって、点火機構の、過度に強い加熱による損傷を避けるようになっている。しかしながら該公知の構成においては欠点として、点火機構から放射されて点火過程の助成に役立つべき放射エネルギが、点火機構の、受容ポケット内に位置決めされた点火区分を受容ポケットによって少なくとも部分的に遮蔽してしまうことに基づき、バーナーの定格出力への燃焼立ち上がり（燃焼伝播）の加速を助成するためにはほとんど活用されない。
【０００５】
【特許文献１】
ドイツ連邦共和国特許出願第１９５２９９９４Ａ１号明細書
【特許文献２】
WO９８／４９４９４号明細書
【０００６】
【発明が解決しようとする課題】
本発明の課題は、暖房装置のための燃焼室構成ユニットを改善して、燃焼開始の際のスタート段階を短くすることである。
【０００７】
【課題を解決するための手段】
前記課題を解決するために本発明に基づく構成では、燃焼室構成ユニットが燃焼室ケーシングを有しており、該燃焼ケーシングが燃焼室を形成しており、さらに点火機構が点火区分で以て燃焼室内に突入している。
【０００８】
さらに本発明の構成では、燃焼室を半径方向外側で少なくとも部分的に取り囲む気化手段が設けられており、該気化手段内に、気化すべき燃料が燃焼室ケーシングを通して導入されるようになっている。
【０００９】
点火機構、特に点火区分の本発明の位置決めに基づき、ポケット若しくはその他の遮蔽機構による遮蔽が生じない。むしろ、点火機構の点火区分が燃焼室に露出している。従って、点火区分から放出される放射熱が、点火過程のために用いられるだけではなく、定格出力への加速された燃焼伝播のためにも役立つ。燃料を燃焼室内に十分にかつ良好に分配して気化させることが、外周領域に設けられた気化手段によって、保証される。
【００１０】
気化手段が有利には少なくとも外周壁の、点火機構の点火区分を取り囲む長さ領域に設けられている。
【００１１】
燃焼室内に気化状態で供給された燃料のできるだけ均一な分配のために、有利には気化手段がスリーブ状に形成されている。これによって、気化された燃料、即ちガスが全周にわたって確実に分配される。
【００１２】
気化手段が例えば、フリース材料、フェルト材料、編み物、織物、発泡セラミック（海綿状セラミック）若しくは類似のものによって形成されており、該部材が多孔質に基づき燃料を受容してかつ燃料を気化に基づき放出する。
【００１３】
気化手段内への燃料の導入に際して気化手段内でまだ液状の燃料の分配をできるだけ急速かつ均一に行うために、本発明の実施態様では、燃料が気化手段の、点火機構の点火区分の上方に位置する領域に導入されるようになっている。このような相対位置に基づき、燃料が重力によっても助成されて、気化手段内で急速にかつ均一に分配される。
【００１４】
さらに、燃焼の開始時に気化手段内への燃料入口の領域でのみ燃料が気化によって気化手段から燃焼室に向かって流出し、若しくは滴下してしまうことを避けるために、本発明に基づく実施態様では、気化手段の、燃料が導入される領域、即ち燃料入口の領域に、転向部材が設けられている。
【００１５】
点火過程に際して気化によって燃焼室内に到達する燃料と空気との充分な混合を達成するために、燃焼室ケーシングの、点火機構を保持する領域に点火空気入口装置が設けられている。
【００１６】
さらに有利には、点火機構がほぼ接線方向に、即ち厳密には割線方向に燃焼室内を延びており、及び／又は、点火空気が同じくほぼ接線方向に点火空気入口装置を通って燃焼室内に流入するようになっている。特に、燃焼室内への点火空気のほぼ接線方向での導入が、点火過程の際に形成された火炎の円周方向への急速な伝播を助成する。
【００１７】
燃焼室内に充分な空気を導入して、できるだけ有害物質の少ない燃焼を行うために、本発明に基づく実施態様では、燃焼室ケーシングが、内室（燃焼室）を半径方向内側で制限する内周壁を有しており、該内周壁が燃焼空気入口装置を備えている。
【００１８】
本発明はさらに、車両のための暖房装置にも関し、該暖房装置が本発明に基づく前記燃焼室構成ユニットを有している。
【００１９】
本明細書で用いる「点火空気」又は「燃焼空気」なる用語は、使用される燃料と一緒に点火可能若しくは燃焼可能な混合物を形成するあらゆるガスを意味するものである。
【００２０】
【発明の実施の形態】
図１は、本発明に基づく燃焼室構成ユニット１０の分解図である。この場合、燃焼室構成ユニット１０の主要な構成要素（コンポーネント）が示してある。該構成要素は、例えば薄板材料から形成された燃焼室ケーシング１２、燃料供給導管１４、グロープラグ１６並びに、例えばフリース材料若しくはその他の気孔質若しくは多孔質の材料からスリーブ状に構成された気化手段（気化器若しくは気化媒体とも呼ぶ）１８である。図４に示してあるように、燃焼室ケーシング１２はコップ状に構成されていて、外周壁２０並びに底部領域２２を有している。底部領域２２の中央区分に、隆起部を設けてあり、該隆起部が、外周壁２０に対してほぼ同心的に配置されたほぼ円筒状の内周壁２４を形成している。内周壁２４が端壁２８に移行している。内周壁２４と外周壁２０との間に、ほぼリング状の燃焼室２６が形成されている。スリーブ状に形成されていて外周壁２０への適合のために１つの円周部分で開かれた気化手段１８が、燃焼室構成ユニット１０の組み立て状態では外周壁２０の内面に設けられ、若しくは内周壁の内面に接触していて、外周壁２０のほぼ全長にわたって延びている。このことは、燃焼室２６が燃焼室ケーシング１２の領域で全長にわたって半径方向外側から気化手段１８によって取り囲まれて、若しくは制限されていることを意味する。
【００２１】
燃焼室ケーシング１２若しくは該ケーシングの外周壁２０の１つの円周部分に、グロープラグ１６のための挿入管片３０が設けられている。図３及び５から明らかなように、グロープラグ１６を挿入管片３０内に差し込んだ状態で、グロープラグ１６の通電によって加熱可能な点火区分３２が、燃焼室２６の、ケーシング軸線Ａを中心とするリング状の輪郭に関してほぼ接線方向若しくは割線方向で燃焼室２６内に突入している。挿入管片３０がさらに通路若しくは開口３４を形成しており、該通路若しくは開口を介して、必要に応じて送風機若しくはファンの搬送作用下で、点火に必要な空気が燃焼室２６内に、それも、グロープラグ１６の点火区分３２を含む領域内に導入される。即ち空気が、点火のために必要な領域内に供給される。さらに図５から明らかなように、気化手段１８が、管片３０からグロープラグ１６を燃焼室２６内へ案内する領域に開口３６を有しており、該開口がグロープラグ１６によって貫通されていて、かつ点火空気を燃焼室２６内へ流入させるようになっている。
【００２２】
燃料供給導管１４が、外周壁２０内に設けられた開口３８内に差し込まれていて、燃料を直接に気化手段１８の外面へ導くようになっている。気化手段１８の、燃焼室２６に向いた側で、燃料供給導管１４から燃料を受け取る領域に、転向部材（そらせ部材）４０を設けてある。転向部材４０が、燃料を受け取るところで燃料の側方への分配を行い、従って気化手段の内面での燃料集合に基づき気化されることなく滴状のままの燃料滴下のおそれを生ぜしめないように機能している。さらに図面から明らかなように、気化手段１８の、燃料を受け取る領域は気化手段１８の上側の領域に設けられていて、それもグロープラグ１６の点火区分３２の上方でしかも著しく近くに位置決めされている。燃焼室構成ユニット１０は、暖房装置内への組み付け状態でも気化手段を上方に位置決めして配置されている。燃焼室構成ユニットの前記配置によって、点火区分３２による点火に際して、比較的に高い濃度の気化燃料が得られる。さらに、前記配置（位置決め）は、気化手段内での燃料の分配を重力によって助成するために役立っている。
【００２３】
点火して次いで通常の燃焼への移行に際して必要な空気が、多数の開口４２を介して供給されるようになっており、該開口が内周壁２４に、それも端壁２８の近くに設けられている。
【００２４】
燃焼室構成ユニット１０の本発明に基づく構成は多数の利点を有している。グロープラグ１６を鉛直線に関してほぼ９０°の角度でかつ実質的に接線方向で若しくは割線方向で燃焼室２６内へ突入させるように配置（位置決め）したことによって利点として、開口３４から実質的に接線方向で若しくは割線方向で燃焼室２６内に流入する点火空気が、燃焼室２６の全周にわたる点火炎の著しく急速な伝播のために役立つ。さらにグロープラグ１６の、燃焼室２６内にある点火区分３２が遮蔽材料によって覆われず、即ち燃焼室２６内に露出している。従って点火区分３２の領域で生ぜしめられる放射熱が、点火区分３２に隣接の領域での点火過程に役立つだけではなく、定格出力への燃焼立ち上がり（ラン・アップ[runup]）の際の燃焼拡大（燃焼伝播）を助成するためにも役立つ。これによって、本発明に基づく燃焼室構成ユニットを備える暖房装置のスタート段階（起動段階）が、著しく短くされる。特に、グロープラグ１６をＰＴＣ・特性（正の温度係数[positive temperature coefficient]）で形成してある、即ち加熱の増大に伴って電気抵抗を上昇させるようになっている場合には、グロープラグが、燃焼をも行う室内に位置決めしてあることに基づき火炎監視器若しくは自己電流制御装置としても役立つ。グロープラグ１６の点火区分３２を取り囲む遮蔽部材、例えばプラグ用フィルター若しくはプラグ用メッシュを省略したことによって、構成ユニットの構造が簡単になり、かつ構成ユニットの費用が減少される。さらに保守作業、例えばグロープラグ１６の交換が極めて容易に行われる。グロープラグを外側へ引き抜くだけでよく、次いで新たなグロープラグが簡単に差し込まれる。点火用グロープラグとして、１４５０°までの耐熱性を有するセラミック製のグロープラグを用いると有利である。
【図面の簡単な説明】
【図１】本発明に基づく燃焼室構成ユニットの分解斜視図。
【図２】図１の矢印ＩＩの方向で見た側面図。
【図３】図１の矢印ＩＩＩの方向で見た端面図。
【図４】図１に示す燃焼室構成ユニットの、図５の平面IV−IVに沿った縦断面図。
【図５】図４の平面V−Vに沿った横断面図。
【符号の説明】
１０  燃焼室構成ユニット、  １２  燃焼室ケーシング、  １４  燃料供給導管、  １６  グロープラグ、  １８  気化手段、  ２０  外周壁、  ２２  底部領域、  ２４  内周壁、  ２６  燃焼室、  ２８  端壁、  ３０  挿入管片、  ３２  点火区分、  ３４，３６，３８  開口、  ４０  転向部材、  ４２  開口、  Ａ  ケーシング縦軸線
【図１】
2004205082.tif 000003
【図２】
2004205082.tif 000004
【図３】
2004205082.tif 000005
【図４】
2004205082.tif 000006
【図５】
2004205082.tif 000007